(57)【要約】【課題】  大掛かりな器具や設備を必要とせず、また、活動時や睡眠時にも尿失禁などの治療が行える下着を提供する。【解決手段】  下着１は複数個の永久磁石６が着用時に尿器から肛門にわたる領域に位置するように股間部４に配設されて成る。各永久磁石６は股間部６の左右対称位置に前後方向へ整列させてそれぞれ配置されている。各永久磁石６は個別の粘着テープによって股間部４の内面に止着されている。【選択図】  図１
0003102610.tif 000002
【実用新案登録請求の範囲】
【請求項１】
複数個の永久磁石が、着用時に尿器から肛門にわたる領域に位置するように股間部に配設されて成る下着。
【請求項２】
各永久磁石は、股間部の左右対称位置に前後方向へ整列させてそれぞれ配置されている請求項１に記載された下着。
【請求項３】
各永久磁石は、個別の固定テープによって股間部の内面に止着されている請求項１または２に記載された下着。
【請求項４】
各永久磁石は、列毎の固定テープによって股間部の内面に止着されている請求項１または２に記載された下着。
【請求項５】
各永久磁石は、１枚の固定テープによって股間部の内面に止着されている請求項１または２に記載された下着。
【請求項６】
各永久磁石は、股間部を構成する上下２枚の生地間に挿入されるシートに止着されている請求項１または２に記載された下着。
【考案の詳細な説明】
【技術分野】
【０００１】
この考案は、主として尿失禁の治療や改善に有効な下着に関し、特に、尿失禁の治療や改善のために身体の所定の部位へ磁気を作用させるようにした下着に関する。
【背景技術】
【０００２】
従来、尿失禁の治療に磁気を利用した治療器具が提案されている。この治療器具は、支持具に支持されたコイルを患者の尿道口から肛門にわたる領域に位置決めしたうえで、前記コイルにパルス電流を供給して生体に渦電流を発生させるものである（例えば特許文献１参照）。
【０００３】
【特許文献１】特開平１０−２３４８７０号公報
【０００４】
上記した治療器具では、尿道口から肛門に至る領域にコイルを密着もしくは近接させるので、磁束による渦電流が、磁気刺激部位である骨盤底筋群および膀胱を含む広い領域に分布する陰部神経中の骨盤底筋群の陰部神経に近い位置で発生する。この渦電流によって、骨盤底筋群、尿道を直接取り巻く外尿道括約筋、および陰部神経などが刺激され、切迫性および腹圧性の尿失禁治療が有効に行われる。
【考案の開示】
【考案が解決しようとする課題】
【０００５】
しかしながら、この種の治療器具は、給電を必要とするために電源が必要であり、また、コイルを支持するための特別な支持具も必要であり、設備や器具が大掛かりとなり、取り扱いも簡便でない。さらに、治療時には使用者は身動きできないため、活動時や睡眠時での治療は困難である。
【０００６】
この考案は、上記した問題に着目してなされたもので、大掛かりな器具や設備を必要とせず、また、活動時や睡眠時にも尿失禁などの治療が行える下着を提供することを目的とする。
【課題を解決するための手段】
【０００７】
この考案による下着は、複数個の永久磁石が、着用時に尿器から肛門にわたる領域に位置するように股間部に配設されて成るものである。
【０００８】
ここでいう「下着」は、ブリーフやトランクスのような男性用の下着と、ショーツやズロースのような女性用の下着とを含んでおり、主として直接肌に触れるものである。
【０００９】
この考案による下着を着用すると、人体の尿器から肛門にわたる領域に複数個の永久磁石が密着もしくは近接するので、各永久磁石による磁界が骨盤底筋群や陰部神経に作用して渦電流が発生する。この渦電流によって骨盤底筋群、尿道を直接取り巻く外尿道括約筋、および陰部神経などが刺激され、活動時や睡眠時において切迫性および腹圧性の尿失禁治療が有効に行われる。
【００１０】
この考案の好ましい一実施態様においては、各永久磁石は下着の股間部の左右対称位置に前後方向へ整列させてそれぞれ配置されている。なお、永久磁石の列数は必ずしも２列である必要はなく、４列であってもよい。また、股間部の中心線に沿ってさらに１列付加してもよい。
【００１１】
各永久磁石は、下着の股間部に種々の方法で止着し得るが、その一は個別の固定テープによって、その二は列毎の固定テープによって、その三は１枚の固定テープによって、それぞれ下着の股間部の内面に止着される。前記固定テープには、粘着剤が塗布された粘着テープの他、帯状の面ファスナーなどを含む。
【００１２】
さらに、各永久磁石の下着の股間部への取付方法として、股間部を構成する上下２枚の生地間に挿入されるシートに各永久磁石を止着するように構成してもよい。この場合に前記シートは生地間に固定してもよく、取出可能に挿入するだけでもよい。
【考案の効果】
【００１３】
この考案によると、治療に大掛かりな器具や設備を必要とせず、また、着用するだけで活動時や睡眠時にも尿失禁の治療が行える。しかも、各永久磁石は常に人体に密着もしくは近接するので、人体に十分な磁界を作用させることができる。
【考案を実施するための最良の形態】
【００１４】
図１は、この考案の一実施例である下着１の外観を示す。
図示例の下着１は女性用のショーツであって、綿糸などを用いてメリヤス編みにより編製されている。この下着１は前面部２と後面部３と股間部４とが個別の生地によって構成されている。前面部２と後面部３とは両側縁が互いに縫合され、前面部２の下端部と後面部３の下端部とは股間部４を介して繋がっている。股間部４は２枚の生地を重ねて厚手に形成されている。下部の両側には脚を通す左右の開口部５，５が位置する。
【００１５】
前記股間部４の内面には、図２に示すように、中心線ｃを挟む左右対称位置に、複数個の永久磁石６が前後方向へ整列させて配設されている。各永久磁石６は個別の粘着テープ７により股間部４の内面に止着されている。左右の永久磁石６の列は左右の開口部５の開口縁に沿っており、この下着１を着用すると、図３に示すように、尿道口Ａから肛門Ｂにわたる領域に位置する。
【００１６】
図示例の永久磁石６はフェライト磁石であるが、その他の材料で形成されたものであってもよい。また、各永久磁石６は円板形状であるが、これにに限らず、例えば球状や半球状であってもよく、形状は問わない。
【００１７】
図４に示す他の実施例は、各永久磁石６を列毎の粘着テープ７Ａ，７Ｂによって股間部４の内面に止着したものであり、左右の永久磁石６の列は互いに平行となっている。
【００１８】
図５に示すさらに他の実施例は、各永久磁石６を１枚の粘着テープ７Ｃによって股間部４の内面に止着したものであり、左右の永久磁石６の列は左右の開口部５の開口縁に沿っている。
【００１９】
図６に示すさらに他の実施例は、各永久磁石６が粘着テープ７により個別に止着された１枚のシート８を、股間部４を構成する上下２枚の生地間に挿入したものである。この実施例では、前記シート８は生地間に縫着して固定しているが、例えば内側の生地に取出口を形成し、その取出口より取出可能に生地間へ挿入するだけもよい。
【００２０】
なお、上記した実施例の下着１は、この考案を女性用のショーツに実施したものであるが、これに限らず、その他の女性用下着、さらには男性用下着に実施することができる。
図７に示す下着１はズロースであって、複数個の永久磁石６が股間部４の左右対称位置に前後方向へ整列させて配設されている。この実施例の下着１においても、前面部２、後面部３、および股間部４は別個の生地で形成されている。
【００２１】
図８に示す下着１は男性用のブリーフであって、同様に複数個の永久磁石６が股間部４の左右対称位置に前後方向へ整列させて配設されている。この実施例の下着１は、複数の生地を縫着して形成されているが、前面部２、後面部３、および股間部４が別個の生地によって形成されたものではない。
【００２２】
この考案による下着１を着用すると、人体の尿器から肛門にわたる領域に複数個の永久磁石６が密着もしくは近接するので、各永久磁石６による磁界が骨盤底筋群や陰部神経に作用して渦電流が発生する。この渦電流によって骨盤底筋群、尿道を直接取り巻く外尿道括約筋、および陰部神経などが刺激され、活動時や睡眠時において切迫性および腹圧性の尿失禁治療が有効に行われる。特に、この実施例の場合、各永久磁石６は股間部４の左右対称位置に前後方向へ整列させてそれぞれ配置されているので、人体の尿器から肛門にわたる領域において骨盤底筋群や陰部神経に対して広範囲に磁界を作用させることができる。
【図面の簡単な説明】
【００２３】
【図１】この考案をショーツに実施した実施例の正面図である。
【図２】永久磁石の固定状態を示す下着の股間部の拡大図である。
【図３】下着の装着状態を示す断面図である。
【図４】他の実施例における永久磁石の固定状態を示す下着の股間部の拡大図である。
【図５】他の実施例における永久磁石の固定状態を示す下着の股間部の拡大図である。
【図６】他の実施例における永久磁石の固定状態を示す下着の股間部の拡大図である。
【図７】この考案をズロースに実施した実施例の正面図である。
【図８】この考案をブリーフに実施した実施例の正面図である。
【符号の説明】
【００２４】
１    下着
２    前面部
３    後面部
４    股間部
６    永久磁石
７，７Ａ，７Ｂ，７Ｃ  粘着テープ
８    シート
【図１】
0003102610.tif 000003
【図２】
0003102610.tif 000004
【図３】
0003102610.tif 000005
【図４】
0003102610.tif 000006
【図５】
0003102610.tif 000007
【図６】
0003102610.tif 000008
【図７】
0003102610.tif 000009
【図８】
0003102610.tif 000010